(57)【要約】【課題】  シート体において、付箋を指で摘むことなく、台紙から剥離するための捲り代を生じさせること。【解決手段】  本シート１は、台紙２の表面上に複数の付箋３Ｌ，３Ｒが所定間隔を開けた状態で左右に対をなすように台紙２の長手方向に沿って貼着されている。上記間隔を挟んで左右に対をなす付箋３Ｌ，３Ｒ各々の左側及び右側の両内縁部に対応する台紙２の領域に、それぞれ、付箋３Ｌ，３Ｒの配列方向である上記長手方向に沿って平行に延びるミシン目４Ｌ，４Ｒを入れる。左側のミシン目４Ｌ及び右側のミシン目４Ｒに沿って台紙２を裏面側に向かって折り曲げると、左側の各付箋３Ｌの右端部及び右側の各付箋３Ｒの左端部が台紙２の表面から立ち上がるように離間する。【選択図】  図１
2006068977.tif 000002
【特許請求の範囲】
【請求項１】
台紙、及び裏面の一側部側に台紙の表面に対して接着剥離自在な接着部が形成される一方、他側部側に台紙の表面に対する非接着部とされた付箋を備え、台紙の表面上に付箋が貼着されたシート体であって、
上記付箋の他側の内縁部であって上記非接着部の下方に対応する上記台紙の領域には、折り目が形成され、
この折り目に沿って上記台紙をその裏面側に向かって折り曲げると、上記付箋の他側端部が当該台紙の表面から離間することを特徴とするシート体。
【請求項２】
台紙、及び裏面の一側部側に台紙の表面に対して接着剥離自在な接着部が形成される一方、他側部側に台紙の表面に対する非接着部とされた複数の付箋を備え、台紙の表面上に複数の付箋が所定方向に沿って貼着されたシート体であって、
上記各付箋の一側の内縁部であって上記非接着部の下方に対応する上記台紙の領域及び他側の内縁部であって上記非接着部の下方に対応する上記台紙の領域には、それぞれ、上記付箋の配列方向である上記所定方向に沿って平行に延びる折り目が形成され、
一側の折り目に沿って上記台紙をその裏面側に向かって折り曲げると、上記各付箋の一側端部が当該台紙の表面から離間する一方、他側の折り目に沿って上記台紙をその裏面方向に向かって折り曲げると、上記各付箋の他側端部が当該台紙の表面から離間することを特徴とするシート体。
【請求項３】
台紙、及び裏面に台紙の表面に対して接着剥離自在な接着層が形成された複数の付箋を備え、台紙の表面上に複数の付箋が所定間隔を開けた状態で対をなすように所定方向に沿って貼着されたシート体であって、
上記間隔を挟んで対をなす付箋各々の一側及び他側の両内縁部に対応する上記台紙の領域には、それぞれ、上記付箋の配列方向である上記所定方向に沿って平行に延びる折り目が形成され、
一方の折り目及び他方の折り目に沿って上記台紙をその裏面側に向かって折り曲げると、上記一方の各付箋の一側端部及び上記他方の各付箋の他側端部が当該台紙の表面から離間することを特徴とするシート体。
【請求項４】
帯状の台紙、及び裏面の一側部側に台紙の表面に対して接着剥離自在な接着部が形成される一方、他側部側に台紙の表面に対する非接着部とされた複数の付箋を備え、台紙の表面上に複数の付箋が当該台紙の帯状長手方向に沿って貼着されたシート体であって、
上記各付箋の他側の内縁部であって上記非接着部の下方に対応する上記台紙の領域には、上記付箋の配列方向である上記長手方向と直交する方向に沿って延びる折り目が形成され、
この折り目に沿って上記台紙をその裏面側に折り曲げると、上記各付箋の一側端部が当該台紙の表面から離間することを特徴とするシート体。
【請求項５】
帯状の台紙、及び裏面の一側部側に台紙の表面に対して接着剥離自在な接着部が形成される一方、他側部側に台紙の表面に対する非接着部とされた複数の付箋を備え、台紙の表面上に複数の付箋が当該台紙の帯状長手方向に沿って貼着されたシート体であって、
上記各付箋の一側の内縁部であって上記非接着部の下方に対応する上記台紙の領域及び他側の内縁部であって上記非接着部の下方に対応する上記台紙の領域には、それぞれ、上記付箋の配列方向である上記長手方向と直交する方向に沿って延びる折り目が形成され、
一側の折り目に沿って上記台紙をその裏面側に向かって折り曲げると、上記各付箋の一側端部が当該台紙の表面から離間する一方、他側の折り目に沿って上記台紙をその裏面方向に向かって折り曲げると、上記各付箋の他側端部が当該台紙の表面から離間することを特徴とするシート体。
【請求項６】
帯状の台紙、及び裏面に台紙に対して接着剥離自在な接着層が形成された複数の付箋を備え、台紙の表面上に複数の付箋が当該台紙の帯状長手方向に沿って貼着されたシート体であって、
上記付箋の配列方向としての上記長手方向に沿って互いに隣接する付箋同士の間に生じた隙間間隔に対応する上記台紙の領域には、当該長手方向と直交する方向に沿って延びる第１の折り目が形成され、
この第１の折り目を挟んで対をなす１組の付箋のうちの一方の付箋の第１の折り目側の内縁部に対応する上記台紙の領域には、当該第１の折り目に対して平行に延びる第２の折り目が形成され、
上記第１の折り目を支点として、上記対をなす１組の付箋のうちの一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間することを特徴とするシート。
【請求項７】
帯状の台紙、及び裏面に台紙に対して接着剥離自在な接着層が形成された複数の付箋を備え、台紙の表面上に複数の付箋が当該台紙の帯状長手方向に沿って貼着されたシート体であって、
上記付箋の配列方向としての上記長手方向に沿って互いに隣接する付箋同士の間に生じた隙間間隔に対応する上記台紙の領域には、当該長手方向と直交する方向に沿って延びる第１の折り目が形成され、
この第１の折り目を挟んで対をなす１組の付箋のうち、一方の付箋の第１の折り目側の内縁部に対応する上記台紙の領域には、当該第１の折り目に対して平行に延びる第２の折り目が形成される一方、他方の付箋の第１の折り目側の内縁部に対応する上記台紙の領域には、当該第１の折り目に対して平行に延びる第３の折り目が形成され、
上記第１の折り目を支点として、上記対をなす１組の付箋のうち、一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間する一方、他方の付箋の第１の折り目側端部が一方の付箋の第１の折り目側端部に近接するように、上記第１の折り目及び第３の折り目の両者に沿って上記台紙を折り曲げると、当該他方の付箋の第１の折り目側端部が当該台紙の表面から離間することを特徴とするシート体。
【請求項８】
台紙、及び裏面に台紙に対して接着剥離自在な接着層が形成された複数の付箋を備え、台紙の表面上に複数の付箋が行方向及びこの行方向と直交する列方向に沿ってマトリクス状に貼着されたシート体であって、
上記行方向及び列方向のうちの一方の付箋配列方向に沿って互いに隣接する付箋同士の間に生じた隙間間隔に対応する上記台紙の領域には、当該一方の付箋配列方向と直交する方向に沿って延びる第１の折り目が形成され、
この第１の折り目を挟んで対をなす１組の付箋のうちの一方の付箋の第１の折り目側の内縁部に対応する上記台紙の領域には、当該第１の折り目に対して平行に延びる第２の折り目が形成され、
上記第１の折り目を支点として、上記対をなす１組の付箋のうちの一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間することを特徴とするシート体。
【請求項９】
台紙、及び裏面に台紙に対して接着剥離自在な接着層が形成された複数の付箋を備え、台紙の表面上に複数の付箋が行方向及びこの行方向と直交する列方向に沿ってマトリクス状に貼着されたシート体であって、
上記行方向及び列方向のうちの一方の付箋配列方向に沿って互いに隣接する付箋同士の間に生じた隙間間隔に対応する上記台紙の領域には、当該一方の付箋配列方向と直交する方向に沿って延びる第１の折り目が形成され、
この第１の折り目を挟んで対をなす１組の付箋のうち、一方の付箋の第１の折り目側の内縁部に対応する上記台紙の領域には、当該第１の折り目に対して平行に延びる第２の折り目が形成される一方、他方の付箋の第１の折り目側の内縁部に対応する上記台紙の領域には、当該第１の折り目に対して平行に延びる第３の折り目が形成され、
上記第１の折り目を支点として、上記対をなす１組の付箋のうち、一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間する一方、他方の付箋の第１の折り目側端部が一方の付箋の第１の折り目側端部に近接するように、上記第１の折り目及び第３の折り目に沿って上記台紙を折り曲げると、当該他方の付箋の第１の折り目側端部が当該台紙の表面から離間することを特徴とするシート体。
【発明の詳細な説明】
【技術分野】
【０００１】
本発明は、台紙の表面上に複数の付箋が貼着されたシート体に関する。
【背景技術】
【０００２】
この種のシート体の典型的な例として、特許文献１及び特許文献２にて提案されているものを挙げることができる。
【０００３】
特許文献１にて開示されているシート体では、離型紙のうち、付箋が貼着される部位において、当該離型紙に相互に平行な第１のスリットが形成されると共に、これら第１のスリットの端部同士を結ぶ第２のスリットが形成され、更に第１のスリットの中間にミシン目が形成されることによって、上記離型紙から付箋を離脱させると、当該付箋と共に第１のスリット及び第２のスリットで囲まれた離型紙の小片が離脱するように構成されている。
【０００４】
他方、特許文献２にて開示されているシート体では、剥離可能な接着剤層を有する一葉の付箋に所望の間隔でスリットが設けられ、更に上記接着層の表面に一部欠如して積層される離型剤を塗工して、当該一部欠如した部位に台紙が仮着されることによって、付箋を１枚ずつ容易に台紙から剥離できるように構成されている。
【０００５】
【特許文献１】実開平６−２３７８７号公報
【０００６】
【特許文献２】特開平８−３０５２９１号公報
【発明の開示】
【発明が解決しようとする課題】
【０００７】
しかしながら、上記特許文献１及び特許文献２に係るシート体では、依然として、付箋を台紙から剥離する際に、付箋の端部を指で摘んで台紙から剥離して捲り代を形成しなければならず、その作業は煩雑なものとなっている。
【０００８】
本発明は、上記技術的課題に鑑みなされたもので、付箋を指で摘むことなく、付箋を台紙から剥離するための捲り代を生じさせることができるシート体を提供することを目的とする。
【課題を解決するための手段】
【０００９】
第１の観点に係る発明は、台紙、及び裏面の一側部側に台紙の表面に対して接着剥離自在な接着部が形成される一方、他側部側に台紙の表面に対する非接着部とされた付箋を備え、台紙の表面上に付箋が貼着されたシート体であって、上記付箋の他側の内縁部であって上記非接着部の下方に対応する上記台紙の領域には折り目が形成され、この折り目に沿って上記台紙をその裏面側に向かって折り曲げると、上記付箋の一側端部が当該台紙の表面から離間する。
【００１０】
第２の観点に係る発明は、台紙、及び裏面の一側部側に台紙の表面に対して接着剥離自在な接着部が形成される一方、他側部側に台紙の表面に対する非接着部とされた複数の付箋を備え、台紙の表面上に複数の付箋が所定方向に沿って貼着されたシート体であって、上記各付箋の一側の内縁部であって上記非接着部の下方に対応する上記台紙の領域及び他側の内縁部であって上記非接着部の下方に対応する上記台紙の領域には、それぞれ、上記付箋の配列方向である上記所定方向に沿って平行に延びる折り目が形成され、一側の折り目に沿って上記台紙をその裏面側に向かって折り曲げると、上記各付箋の一側端部が当該台紙の表面から立ち上がって剥離する一方、他側の折り目に沿って上記台紙をその裏面方向に向かって折り曲げると、上記各付箋の他側端部が当該台紙の表面から離間する。
【００１１】
第３の観点に係る発明は、台紙、及び裏面に台紙の表面に対して接着剥離自在な接着層が形成された複数の付箋を備え、台紙の表面上に複数の付箋が所定間隔を開けた状態で対をなすように所定方向に沿って貼着されたシート体であって、上記間隔を挟んで対をなす付箋各々の一側及び他側の両内縁部に対応する上記台紙の領域には、それぞれ、上記付箋の配列方向である上記所定方向に沿って平行に延びる折り目が形成され、一方の折り目及び他方の折り目に沿って上記台紙をその裏面側に向かって折り曲げると、上記一方の各付箋の一側端部及び上記他方の各付箋の他側端部が当該台紙の表面から離間する。
【００１２】
上記第３の観点に係る発明において、上記間隔における上記台紙の領域に上記折り目と平行するように更なる折り目を形成してもよい。
【００１３】
第４の観点に係る発明は、帯状の台紙、及び裏面の一側部側に台紙の表面に対して接着剥離自在な接着部が形成される一方、他側部側に台紙の表面に対する非接着部とされた複数の付箋を備え、台紙の表面上に複数の付箋が当該台紙の帯状長手方向に沿って貼着されたシート体であって、上記各付箋の他側の内縁部であって上記非接着部の下方に対応する上記台紙の領域には、上記付箋の配列方向である上記長手方向と直交する方向に沿って延びる折り目が形成され、この折り目に沿って上記台紙をその裏面側に折り曲げると、上記各付箋の一側端部が当該台紙の表面から離間する。
【００１４】
第５の観点に係る発明は、帯状の台紙、及び裏面の一側部側に台紙の表面に対して接着剥離自在な接着部が形成される一方、他側部側に台紙の表面に対する非接着部とされた複数の付箋を備え、台紙の表面上に複数の付箋が当該台紙の帯状長手方向に沿って貼着されたシート体であって、上記各付箋の一側の内縁部であって上記非接着部の下方に対応する上記台紙の領域及び他側の内縁部であって上記非接着部の下方に対応する上記台紙の領域には、それぞれ、上記付箋の配列方向である上記長手方向と直交する方向に沿って延びる折り目が形成され、一側の折り目に沿って上記台紙をその裏面側に向かって折り曲げると、上記各付箋の一側端部が当該台紙の表面から離間する一方、他側の折り目に沿って上記台紙をその裏面方向に向かって折り曲げると、上記各付箋の他側端部が当該台紙の表面から離間する。
【００１５】
第６の観点に係る発明は、帯状の台紙、及び裏面に台紙に対して接着剥離自在な接着層が形成された複数の付箋を備え、台紙の表面上に複数の付箋が当該台紙の帯状長手方向に沿って貼着されたシート体であって、上記付箋の配列方向としての上記長手方向に沿って互いに隣接する付箋同士の間に生じた隙間間隔に対応する上記台紙の領域には、当該長手方向と直交する方向に沿って延びる第１の折り目が形成され、この第１の折り目を挟んで対をなす１組の付箋のうちの一方の付箋の第１の折り目側の内縁部に対応する上記台紙の領域には、当該第１の折り目に対して平行に延びる第２の折り目が形成され、上記第１の折り目を支点として、上記対をなす１組の付箋のうちの一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間する。
【００１６】
第７の観点に係る発明は、帯状の台紙、及び裏面に台紙に対して接着剥離自在な接着層が形成された複数の付箋を備え、台紙の表面上に複数の付箋が当該台紙の帯状長手方向に沿って貼着されたシート体であって、上記付箋の配列方向としての上記長手方向に沿って互いに隣接する付箋同士の間に生じた隙間間隔に対応する上記台紙の領域には、当該長手方向と直交する方向に沿って延びる第１の折り目が形成され、この第１の折り目を挟んで対をなす１組の付箋のうち、一方の付箋の第１の折り目側の内縁部に対応する上記台紙の領域には、当該第１の折り目に対して平行に延びる第２の折り目が形成される一方、他方の付箋の第１の折り目側の内縁部に対応する上記台紙の領域には、当該第１の折り目に対して平行に延びる第３の折り目が形成され、上記第１の折り目を支点として、上記対をなす１組の付箋のうち、一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間する一方、他方の付箋の第１の折り目側端部が一方の付箋の第１の折り目側端部に近接するように、上記第１の折り目及び第３の折り目の両者に沿って上記台紙を折り曲げると、当該他方の付箋の第１の折り目側端部が当該台紙の表面から離間する。
【００１７】
第８の観点に係る発明は、台紙、及び裏面に台紙に対して接着剥離自在な接着層が形成された複数の付箋を備え、台紙の表面上に複数の付箋が行方向及びこの行方向と直交する列方向に沿ってマトリクス状に貼着されたシート体であって、上記行方向及び列方向のうちの一方の付箋配列方向に沿って互いに隣接する付箋同士の間に生じた隙間間隔に対応する上記台紙の領域には、当該一方の付箋配列方向と直交する方向に沿って延びる第１の折り目が形成され、この第１の折り目を挟んで対をなす１組の付箋のうちの一方の付箋の第１の折り目側の内縁部に対応する上記台紙の領域には、当該第１の折り目に対して平行に延びる第２の折り目が形成され、上記第１の折り目を支点として、上記対をなす１組の付箋のうちの一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間する。
【００１８】
第９の観点に係る発明は、台紙、及び裏面に台紙に対して接着剥離自在な接着層が形成された複数の付箋を備え、台紙の表面上に複数の付箋が行方向及びこの行方向と直交する列方向に沿ってマトリクス状に貼着されたシート体であって、上記行方向及び列方向のうちの一方の付箋配列方向に沿って互いに隣接する付箋同士の間に生じた隙間間隔に対応する上記台紙の領域には、当該一方の付箋配列方向と直交する方向に沿って延びる第１の折り目が形成され、この第１の折り目を挟んで対をなす１組の付箋のうち、一方の付箋の第１の折り目側の内縁部に対応する上記台紙の領域には、当該第１の折り目に対して平行に延びる第２の折り目が形成される一方、他方の付箋の第１の折り目側の内縁部に対応する上記台紙の領域には、当該第１の折り目に対して平行に延びる第３の折り目が形成され、上記第１の折り目を支点として、上記対をなす１組の付箋のうち、一方の付箋の第１の折り目側端部が他方の付箋の第１の折り目側端部に近接するように、上記第１の折り目及び第２の折り目の両者に沿って上記台紙を折り曲げると、当該一方の付箋の第１の折り目側端部が当該台紙の表面から離間する一方、他方の付箋の第１の折り目側端部が一方の付箋の第１の折り目側端部に近接するように、上記第１の折り目及び第３の折り目に沿って上記台紙を折り曲げると、当該他方の付箋の第１の折り目側端部が当該台紙の表面から離間する。
【発明の効果】
【００１９】
本発明では、折り目に沿って台紙を折り曲げることにより、付箋の端部を台紙の表面から容易に離間できるので、従来のように、付箋の端部を指で起こして摘むことなく、台紙から付箋を剥離するための捲り代を生じさせることが可能となる。
【００２０】
特に、第１、第２、第４及び第５の観点に係る発明では、付箋の非接着部の下部の台紙に折り目を形成するようにしているので、この折り目をミシン目など切り離し容易に形成しておけば、使用時に上記折り目で台紙を切り離すことにより付箋の非接着部を台紙縁から突出させた状態として、台紙から付箋を剥離する作業能率を向上できる。
【００２１】
また、第２及び第５の観点に係る発明では、一側の折り目に沿って台紙を裏面側に向かって折り曲げると、各付箋の一側端部が台紙の表面から離間し、一方、他側の折り目に沿って台紙を裏面側に向かって折り曲げると、各付箋の他側端部が台紙の表面から離間する。それゆえ、利用者は、付箋を剥離する際に、自身の利き手に応じて、一側の折り目及び他側の折り目のうちから任意に折り目を選択して台紙を折り曲げることができる。同様に、第７及び第９の観点に係る発明でも、利用者自身の利き手に応じて、第１の折り目及び第２の折り目の両者又は第１の折り目及び第３の折り目の両者のうちから使用する折り目を任意に選択して台紙を折り曲げることができる。
【００２２】
さらに、第３の観点に係る発明では、一方の折り目及び他方の折り目に沿って台紙を裏面側に向かって折り曲げると、一方の各付箋の一側端部及び他方の各付箋の他側端部が台紙の表面から立ち上がるように離間するので、１回の台紙の折り曲げ作業で対をなす付箋の捲り代を同時に確保することができる。
【００２３】
加えて、第６乃至第９の観点に係る発明では、隣り合う付箋間の台紙の領域に第１の折り目を形成するようにしているので、付箋として裏面の全体を接着部としたものを用いる場合に、当該第１の折り目と第２又は第３の折り目とに沿って台紙を折り曲げることにより、付箋の端部を台紙からより一層上手に離間して立ち上げることができる。
【発明を実施するための最良の形態】
【００２４】
以下、本発明の実施の形態について添付図面に基づき詳細に説明する。
【００２５】
＜実施の形態１＞
図１を参照して説明する。本実施の形態１に係るシート体１は、長方形形状の台紙２と、裏面に台紙２の表面に対して接着剥離自在な接着層が形成された複数の付箋３Ｌ，３Ｒとを備えており、台紙２の表面上に複数の付箋３Ｌ，３Ｒが所定間隔を開けた状態で左右に対をなすように台紙２の長手方向に沿って貼着されている。
【００２６】
各付箋３Ｌ，３Ｒは、書物や書類などの紙面を含む貼り付け対象面が透けて視える透明又は半透明のフィルムを素材として製作されており、短冊形状を有している。これら各付箋３Ｌ，３Ｒは、左端部側裏面に上記接着層を有する接着部３１と、この接着部３１の右端に配置され、上記接着層を有しない見出し部（非接着部）３２とから構成されている。左側の付箋３Ｌ及び右側の付箋３Ｒ同士は、見出し部３２が互いに対向するように配置されている。
【００２７】
上記の接着層形成領域は、接着部３１の他端縁から一端縁（接着部３１と見出し部３２との境界）に亘って形成されている。この接着層の幅は、例えば、接着部３１の幅寸法と略同寸に設定されている。
【００２８】
見出し部３２の表面は、印刷により種々の色に彩色されており、文字、数字及び記号などから構成される見出し情報が記入できる。
【００２９】
上記間隔を挟んで左右に対をなす付箋３Ｌ，３Ｒのうち、左側の付箋３Ｌ各々の右側の内縁部（見出し部３２の下部）に対応する上記台紙２の領域には、当該付箋３Ｌの配列方向である上記長手方向に沿って平行に延びるようにミシン目４Ｌが入れられており、他方右側の付箋３Ｒ各々の左側の内縁部（見出し部３２の下部）に対応する上記台紙２の領域には、当該付箋３Ｒの配列方向である上記長手方向に沿って平行に延びるようにミシン目４Ｒが入れられている。これら左側のミシン目４Ｌ及び右側のミシン目４Ｒの両者は、付箋３Ｌ，３Ｒを台紙２から剥離する際に折り目又は切り目として利用される。
【００３０】
上記構成において、付箋３Ｌ，３Ｒを台紙２から剥離するときには、台紙２が平らな状態（図２（Ａ）参照）から、左側のミシン目４Ｌ及び右側のミシン目４Ｒの両者を折り目として当該ミシン目４Ｌ，４Ｒに沿って台紙２をその裏面側に向かって折り曲げる。そうすると、左側の付箋３Ｌの各右端部（各見出し部３２の先端部）及び右側の付箋３Ｒの各左端部（各見出し部３２の先端部）が台紙２の表面から立ち上がるように離間する（図２（Ｂ）参照）。その後、これら立ち上がった上記付箋３Ｌ，３Ｒの端部を指で摘みながら捲って、当該付箋３Ｌ，３Ｒを台紙２から剥離する。
【００３１】
上記のように、ミシン目４Ｌ，４Ｒに沿って台紙２をその裏面側に向かって折り曲げるだけで、付箋３Ｌ，３Ｒの端部が台紙２の表面から離間し、この台紙２から離間した端部が捲り代となるので、従来のように、付箋３Ｌ，３Ｒを指で摘むことなく、台紙２から付箋３Ｌ，３Ｒを剥離するための捲り代を生じさせることができる。特に、本実施の形態１では、上記ミシン目４Ｌ，４Ｒに沿って台紙２を裏面側に向かって折り曲げると、上記左右の付箋３Ｌ，３Ｒの端部が同時に台紙２の表面から立ち上がるように離間するので、１回の台紙２の折り曲げ作業で対をなす付箋３Ｌ，３Ｒの捲り代を同時に確保することができる。
【００３２】
また、上記ミシン目４Ｌ，４Ｒを切り目として利用して、付箋３Ｌ，３Ｒを台紙２から剥離するための捲り代を生じさせることもできる。具体的には、左右に対をなす付箋３Ｌ，３Ｒ間に生じた間隔に対応する台紙２の領域から左側のミシン目４Ｌ及び／又は右側のミシン目４Ｒに沿って左側の付箋３Ｌが貼着されている台紙２の領域及び／又は右側の付箋３Ｒが貼着されている台紙２の領域を切り離すと、当該切り離された方の台紙２の領域上の付箋は、その端部（見出し部３２の先端）が当該台紙２の領域の側辺から突出した状態となり、常時、上記捲り代が存在することになる。したがって、一度に多くの付箋３Ｌ，３Ｒを上記貼り付け対象面に貼り付ける場合には非常に便利となる。
【００３３】
＜実施の形態２＞
図３を参照して説明する。本実施の形態２に係るシート体１の特徴は、長方形形状の台紙２の表面上に上記複数の付箋３Ｌ，３Ｒが所定間隔を開け且つ見出し部３２を対向させた状態で左右に対をなすように当該台紙２の長手方向に沿って２列貼着されている点にあり、その他の構成及び作用・効果は上記実施の形態１と同様である。
【００３４】
＜実施の形態３＞
図４を参照して説明する。本実施の形態３に係るシート体１では、付箋３Ｌ，３Ｒとして、裏面全体に接着層が形成されて接着部とされるとともに、中央のミシン目３４を挟んで左右方向に配置された見出し用紙片３３Ｌ，３３Ｒから成り、且つ、ミシン目３４を挟んで線対称形状を有すると共にミシン目３４に沿って左紙片３３Ｌ及び右紙片３３Ｒ同士を折り合わせ可能なものが採用されており、これら紙片３３Ｌ，３３Ｒを有する複数の付箋３Ｌ，３Ｒが、台紙２の表面に対して所定間隔を開けた状態で左右に対をなすように当該台紙２の長手方向に沿って貼着されている。
【００３５】
上記間隔を挟んで左右に対をなす付箋３Ｌ，３Ｒのうち、左側の付箋３Ｌの右紙片３３Ｒの右側の内縁部に対応する上記台紙２の領域には、当該左側の付箋３Ｌの配列方向である上記長手方向に沿って平行に延びるようにミシン目４Ｌが入れられており、他方右側の付箋３Ｒの左紙片３３Ｌの右側の内縁部に対応する上記台紙２の領域には、当該右側の付箋３Ｒの配列方向である上記長手方向に沿って平行に延びるようにミシン目４Ｒが入れられている。また、これらミシン目４Ｌ，４Ｒ間であって、上記対をなす付箋３Ｌ，３Ｒ間の上記間隔に対応する上記台紙２の領域には、上記ミシン目４Ｌ及び４Ｒと平行に延びるミシン目４Ｃが入れられている。これら左側のミシン目４Ｌ、中央のミシン目４Ｃ及び右側のミシン目４Ｒも、上記実施の形態１と同様、付箋３Ｌ，３Ｒを台紙２から剥離する際に折り目又は切り目として利用される。
【００３６】
上記付箋３Ｌ，３Ｒの曲げ剛性は、そのミシン目３４に沿って曲げるときに比べて当該ミシン目３４と直交する方向に沿って曲げるときの方が強い。そこで、本実施の形態３では、左側の付箋３Ｌは、その左右の紙片３３Ｌ，３３Ｒを区画するミシン目４Ｌが上記左側のミシン目３４に対して平行になるように配置されており、他方右側の付箋３Ｒは、その左右の紙片３３Ｌ，３３Ｒを区画するミシン目３４が上記右側のミシン目４Ｒに対して平行になるように配置されている。
【００３７】
上記構成において、左側のミシン目４Ｌ及び中央のミシン目４Ｃ、又は中央のミシン目４Ｃ及び右側のミシン目４Ｒを近接するようにそれぞれのミシン目に沿って台紙２を折り曲げると、左側の付箋３Ｌの各右端部（各右紙片３３Ｒの右端部）、又は右側の付箋３Ｒの各左端部（各左紙片３３Ｌの左端部）が当該台紙２の表面から立ち上がるように離間する。このとき、付箋３Ｌ，３Ｒのミシン目３４及び台紙２のミシン目の両者は互いに平行であるので、上記台紙２の曲げ作業を円滑に行い得る。また、中央のミシン目４Ｃを設けたことにより、付箋３Ｌ、３Ｒの端部を円滑に台紙から立ち上がるように離間し得る。
【００３８】
なお、その他の作用・効果は後述する実施の形態１０と同様である。
【００３９】
＜実施の形態４＞
図５を参照して説明する。本実施の形態４に係るシート体１は、上記長方形形状の台紙２の表面上に上記透明又は不透明のフィルムを基材とした複数の付箋３がその見出し部（非接着部）３２を同一方向（本実施の形態４では右方向）に向け且つ所定間隔を開けた状態で当該台紙２の長手方向に沿って複数列貼着されている。
【００４０】
各付箋３の右側の内縁部（見出し部３２の下部）に対応する上記台紙２の領域には、上記付箋３Ｌ，３Ｒの配列方向である上記長手方向に沿って平行に延びるようにミシン目４が入れられている。このミシン目４は、付箋３を台紙２から剥離する際に折り目又は切り目として利用される。
【００４１】
上記構成において、付箋３を台紙２から剥離する際に、台紙２が平らな状態（図６（Ａ）参照）から、ミシン目４に沿って台紙２を裏面側に向かって折り曲げると、付箋３の右端部（見出し部３２の先端部）が台紙２の表面から離間する（図６（Ｂ）参照）。このように、ミシン目４に沿って台紙２を折り曲げるだけで、付箋３を指で摘むことなく、上記ミシン目４に沿う各付箋３の台紙２からの捲り代を同時に生じさせることができる。
【００４２】
また、一度に多くの付箋３を上記貼り付け対象面に貼り付ける際には、上記ミシン目４に沿って台紙２を切り離すことによって、常時、付箋３の捲り代が存在することとなり、上記の貼り付け態様に容易に対処できる。
【００４３】
＜実施の形態５＞
図７を参照して説明する。本実施の形態５に係るシート体１の特徴は、上記フィルムを基材とした各付箋３のうち、左側の内縁部（接着部３１の下部）に対応する上記台紙２の領域に、当該付箋３の配列方向である台紙２の長手方向に沿って平行に延びるようにミシン目４Ｌが入れられており、他方右側の内縁部（見出し部（非接着部）３２の下部）に対応する上記台紙２の領域に、当該付箋３の配列方向である台紙２の長手方向に沿って平行に延びるようにミシン目４Ｒが入れられている点にあり、その他の構成は実施の形態４と同様である。
【００４４】
図８（Ａ）〜図８（Ｃ）を参照して、左側のミシン目４Ｌ又は右側のミシン目４Ｒに沿って台紙２を裏面側に向かって折り曲げると、付箋３の左側の内縁部（接着部３１の先端部）又は右側の内縁部（見出し部３２の先端部）が台紙２の表面から離間するので、付箋３を指で摘むことなく、上記ミシン目４Ｌ又は４Ｒに沿って各付箋３の台紙２からの捲り代が同時に生じることになる。
【００４５】
また、ミシン目４Ｌ，４Ｒに沿って台紙２を切り離せば、常時、上記付箋３の捲り代を確保できる。
【００４６】
加えて、利用者は、付箋３を剥離する際に、自身の左右の利き手に応じて、左側のミシン目４Ｌ及び右側のミシン目４Ｒのうちから任意に折り目又は切り目とするミシン目を選択して台紙２を折り曲げたり又は切り離したりすることができる。
【００４７】
＜実施の形態６＞
図９を参照して説明する。本実施の形態６に係るシート体１の特徴は、（１）巻胴（図示せず）に巻き付けられる帯状に長い台紙２の表面上に、上記フィルム基材から成る長方形形状の複数の付箋３が所定間隔を開けた状態で当該台紙２の長手方向に沿って貼着されている点、及び（２）これら各付箋３の左側の内縁部（見出し部３２（非接着部）の下部）に対応する上記台紙２の領域に、上記付箋３の配列方向である上記台紙２の長手方向と直交する方向に沿って延びるようにミシン目４が入れられている点にあり、その他の構成は上記実施の形態４と同様である。
【００４８】
本実施の形態６では、ミシン目４に沿って台紙２を裏面側に向かって折り曲げると、付箋３の左端部（見出し部３２の先端部）が当該台紙２の表面から離間し、その結果、当該付箋３の捲り代が自動的に生じる。
【００４９】
＜実施の形態７＞
図１０を参照して説明する。本実施の形態７に係るシート体１の特徴は、（１）上記巻胴に巻き付けられる帯状に長い台紙２の表面上に、上記フィルム基材から成る長方形形状の複数の付箋３が所定間隔を開けた状態で当該台紙２の長手方向に沿って貼着されている点、及び（２）これら各付箋３のうち、左側の内縁部（接着部３１の下部）に対応する上記台紙２の領域に、上記付箋３の配列方向である上記長手方向と直交する方向に沿って延びるようにミシン目４Ｌが入れられており、他方右側の内縁部（見出し部（非接着部）３２の下部）に対応する上記台紙２の領域に、上記付箋３の配列方向である上記長手方向と直交する方向に沿って延びるようにミシン目４Ｒが入れられている点にあり、その他の構成は上記実施の形態５と同様である。
【００５０】
本実施の形態７では、左側のミシン目４Ｌ又は右側のミシン目４Ｒに沿って台紙２を折り曲げると、付箋３の右端部（見出し部３２の先端部）又は左端部（接着部３１の先端部）が当該台紙２の表面から離間し、それによって当該付箋３の捲り代が自動的に生じる。
【００５１】
＜実施の形態８＞
図１１を参照して説明する。本実施の形態８に係るシート体１の特徴は、上記実施の形態１に係るシート体１の台紙２に形成された左側のミシン目４Ｌ及び右側のミシン目４Ｒの間であって、左側の付箋３Ｌ及び右側の付箋３Ｒ間の隙間間隔に、これらミシン目４Ｌ，４Ｒと平行に延びるミシン目４Ｃを追加的に形成した点にある。したがって、上記中央のミシン目４Ｃを形成した以外は、上記実施の形態１と同様の構成とされる。
【００５２】
上記のように、中央のミシン目４Ｃを挟んで左右に対をなす付箋３Ｌ，３Ｒの対向する端部同士が近接するように、中央のミシン目４Ｃ及び左側のミシン目４Ｌ、若しくは中央のミシン目４Ｃ及び左側のミシン目４Ｒの両者に沿って台紙２を折り曲げるだけで、付箋３Ｌ又は３Ｒのミシン目４Ｌ又は４Ｒ側の側端部が台紙の表面から離間し、この台紙から離間した端部が捲り代となるので、従来のように、付箋端部を指で起こすことなく、台紙２から付箋３Ｌ，３Ｒを剥離するための捲り代を生じさせることができる。
【００５３】
＜実施の形態９＞
図１２を参照して説明する。本発明の実施の形態９に係るシート体１は、図外の巻胴に巻き付けられる帯状に長い台紙２と、裏面全領域に台紙２に対して接着剥離自在な接着層が形成された複数の付箋３とを備えており、台紙２の表面上に複数の付箋３が当該台紙２の長手方向に沿って貼着されている。
【００５４】
付箋３の配列方向としての上記長手方向に沿って互いに隣接する付箋同士３，３の間に生じた隙間間隔に対する上記台紙２の領域には、当該長手方向と直交する方向に沿って延びるように第１のミシン目４１が入れられている。加えて、第１のミシン目４１を挟んで左右に対をなす１組の付箋３，３のうちの左側の付箋３の第１のミシン目側の内縁部に対応する上記台紙２の領域には、当該第１のミシン目４１に対して平行に延びるように第２のミシン目４２が入れられている。これら第１のミシン目４１及び第２のミシン目４２の両者は、付箋３を台紙２から剥離する際に折り目として利用される。
【００５５】
付箋３は、中央のミシン目３１を挟んで左右に対をなす見出し用紙片３２Ｌ，３２Ｒから成り、このミシン目３１を中心線とした線対称形状を有している。この付箋３は、書物や書類などの紙面を含む貼り付け対象面に貼り付けられる際には、ミシン目３１に沿って左紙片３２Ｌ及び右紙片３２Ｒ同士が折り合わされる。
【００５６】
上記付箋３の曲げ剛性は、そのミシン目３１に沿って曲げる場合に比べて当該ミシン目３１と直交する方向に沿って曲げる場合の方が大である。そこで、付箋３は、左右の紙片３２Ｌ，３２Ｒを区画するミシン目３１が上記第１のミシン目４１及び第２のミシン目４２の両者に対して平行になるように台紙２上に配置されている。これにより、付箋３を台紙２から剥離する際の当該台紙２の折り曲げ作業が容易となる。
【００５７】
上記構成において、付箋３を台紙２から剥離するときには、図１３（Ａ）に示す台紙２が平らな状態から、図１３（Ｂ）に示すように、第１のミシン目４１を支点として、上記左右に対をなす１組の付箋３，３のうち左側の付箋３の第１のミシン目側端部（右紙片３２Ｒの自由端部）が右側の付箋３の第１の折り目側端部（左紙片３２Ｌの自由端部）に近接して重なるように、第１のミシン目４１及び第２のミシン目４２の両者を折り目として当該ミシン目４１，４２に沿って折り曲げる。そうすると、左側の付箋３の第１のミシン目側端部が台紙２の表面から離間する。このとき、第１のミシン目４１を設けたことにより、付箋３の端部を円滑に台紙から立ち上がるように離間し得る。その後、上記台紙２の表面から離間した左側の付箋３の端部を指で摘みながら捲って、当該付箋３を台紙２から剥離する。
【００５８】
上記のように、第１のミシン目４１を挟んで左右に対をなす付箋３，３の端部同士が近接するように、第１のミシン目４１及び第２のミシン目４２の両者に沿って台紙２を折り曲げるだけで、付箋３の第１のミシン目側端部が台紙の表面から離間し、この台紙から離間した端部が捲り代となるので、従来のように、付箋３を指で摘むことなく、台紙２から付箋３を剥離するための捲り代を生じさせることができる。
【００５９】
＜実施の形態１０＞
図１４を参照して説明する。本実施の形態１０に係るシート体１の特徴は、（１）上記第１のミシン目４１を挟んで左右に対をなす１組の付箋３，３のうち、左側の付箋３の第１のミシン目側の内縁部（右紙片３２Ｒの自由端側の内縁部）に対応する上記台紙２の領域には、当該第１のミシン目４１に対して平行に延びるように第２のミシン目４２が入れられている一方、右側の付箋３の第１のミシン目側の内縁部（左紙片３２Ｌの自由端側の内縁部）に対応する上記台紙２の領域には、当該第１のミシン目４１に対して平行に延びるように第３のミシン目４３が入れられている点、及び（２）これら第１のミシン目４１及び第２のミシン目４２並びに第３のミシン目４３が折り目として利用される点にあり、その他の構成は上記実施の形態９と同様である。
【００６０】
図１５（Ａ）及び図１５（Ｂ）を参照して、本シート体１では、台紙２が平らな状態から、第１のミシン目４１を支点として、上記左右に対をなす１組の付箋３，３のうち、左側の付箋３の第１のミシン目側端部（右紙片３２Ｒの自由端部）が右側の付箋３の第１のミシン目側端部（左紙片３２Ｌの自由端部）に近接して重なるように、第１のミシン目４１及び第２のミシン目４２の両者に沿って台紙２を折り曲げると、当該左側の付箋３の端部が当該台紙２から離間する。他方、図１５（Ａ）及び図１５（Ｃ）を参照して、台紙２が平らな状態から、第１のミシン目４１を支点として、上記左右に対をなす１組の付箋３，３のうち、右側の付箋３の第１のミシン目側端部（左紙片３２Ｌの自由端部）が左側の付箋３の第１のミシン目側端部（右紙片３２Ｒの自由端部）に近接して重なるように、第１のミシン目４１及び第３のミシン目４３の両者に沿って台紙２を折り曲げると、当該右側の付箋３の端部が当該台紙２の表面から離間する。このとき、第１のミシン目４１を設けたことにより、付箋３の端部を円滑に台紙から立ち上がるように離間し得る。
【００６１】
上記のように、第１のミシン目４１及び第２のミシン目４２の両者又は第１のミシン目４１及び第３のミシン目４３の両者に沿って台紙２を折り曲げるだけで、付箋３を台紙２から剥離するための捲り代が生じるので、利用者は、自身の左右の利き手に応じて、上記第１のミシン目４１及び第２のミシン目４２の両者又は上記第１のミシン目及び第３のミシン目の両者のうちから折り目として利用するミシン目を任意に選択して台紙２を折り曲げることができる。
【００６２】
＜実施の形態１１＞
図１６を参照して説明する。本実施の形態１１に係るシート体１は、長方形形状の台紙２の表面上に上記左右の見出し用紙片３２Ｌ，３２Ｒを有する複数の付箋３が行方向及びこの行方向と直交する列方向に沿ってマトリクス状に貼着されている。
【００６３】
上記行方向に沿って互いに隣接する付箋３，３同士の間に生じた隙間間隔に対応する上記台紙２の領域には、上記列方向に沿って延びるように第１のミシン目４１が入れられている。加えて、第１のミシン目４１を挟んで左右に対をなす１組の付箋３，３のうちの左側の付箋３の第１のミシン目側の内縁部（右紙片３２Ｒの自由端側の内縁部）に対応する上記台紙２の領域には、当該第１のミシン目４１に対して平行に延びるように第２のミシン目４２が入れられている。これら第１のミシン目４１及び第２のミシン目４２の両者も、上記実施の形態９と同様に、付箋３を台紙２から剥離する際に折り目として利用される。
【００６４】
上記構成において、台紙２が平らな状態から、第１のミシン目４１を支点として、上記左右に対をなす１組の付箋３，３のうちの左側の付箋３の第１のミシン目側端部（右紙片３２Ｒの自由端部）が右側の付箋３の第１のミシン目側端部（左紙片３２Ｌの自由端部）に近接して重なるように、第１のミシン目４１及び第２のミシン目４２の両者に沿って台紙２を折り曲げると、当該左側の付箋３の端部が当該台紙２の表面から離間する。このとき、第１のミシン目４１を設けたことにより、付箋３の端部を円滑に台紙から立ち上がるように離間し得る。このように、付箋３を指で摘むことなく、上記第２のミシン目４２に沿った各付箋３の台紙２からの捲り代が同時に生じることになる。
【００６５】
＜実施の形態１２＞
図１７を参照して説明する。本実施の形態１２に係るシート体１の特徴は、（１）上記第１のミシン目４１を挟んで左右に対をなす１組の付箋３，３のうち、左側の付箋３の第１のミシン目側の内縁部（右紙片３２Ｒの自由端側の内縁部）に対応する上記台紙２の領域には、当該第１のミシン目４１に対して平行に延びるように第２のミシン目４２が入れられている一方、右側の付箋３の第１のミシン目側の内縁部（左紙片３２Ｌの自由端側の内縁部）に対応する領域には、当該第１のミシン目４１に対して平行に延びるように第３のミシン目４３が入れられている点、及び（２）これら第１のミシン目４１及び第２のミシン目４２並びに第３のミシン目４３が折り目として利用される点にあり、その他の構成は上記実施の形態１１と同様である。
【００６６】
本シート体１では、第１のミシン目４１を支点として、上記左右に対をなす１組の付箋３，３のうち、左側の付箋３の第１のミシン目側端部（右紙片３２Ｒの自由端部）が右側の付箋３の第１のミシン目側端部（左紙片３２Ｌの自由端部）に近接して重なるように、第１のミシン目４１及び第２のミシン目４２の両者に沿って台紙２を折り曲げると、当該右側の付箋３の端部が当該台紙２の表面から離間し、他方右側の付箋３の第１のミシン目側端部（左紙片３２Ｌの自由端部）が左側の付箋３の第１のミシン目側端部（右紙片３２Ｒの自由端部）に近接して重なるように台紙２を折り曲げると、当該右側の付箋３の端部が当該台紙２の表面から離間するので、上記第１のミシン目４１及び第２のミシン目の両者又は上記第１のミシン目４１及び第３のミシン目４３の両者に沿って台紙２を折り曲げるだけで、上記第２のミシン目４２又は第３のミシン目４３に沿った各付箋３の台紙２からの捲り代が同時に生じるので、両者は、自身の左右の利き手に応じて、上記第１のミシン目４１及び第２のミシン目４２の両者又は上記第１のミシン目４１及び第３のミシン目４３の両者のうちから折り目として利用するミシン目を任意に選択して台紙２を折り曲げることができる。
【００６７】
なお、本発明は上記実施の形態１〜実施の形態１２に限定されるものではない。
【００６８】
（１）上記実施の形態１〜実施の形態１２において、付箋として、例えば、円形のものを採用しても、本発明の目的は十分に達成し得る。これは、本発明が付箋の形状や形態に制約を受けないことを意味する。
【００６９】
（２）上記実施の形態６及び実施の形態７において、複数の付箋を、帯状に長い台紙の表面上において、所定間隔を開けた状態で上下に対をなすように当該台紙の長手方向に沿って貼着しても構わない。
【００７０】
（３）実施の形態９〜実施の形態１２において、付箋として、上記貼り付け対象面が透けて視える透明又は半透明のフィルム基材からなるものなどを採用しても、本発明の目的は十分に達成し得る。これもまた、本発明が付箋の形状や形態に制約を受けないことを意味する。
【００７１】
（４）実施の形態１１及び実施の形態１２において、上記列方向に沿って隣接する付箋同士間に生じた隙間間隔に対応する上記台紙の領域に、上記行方向に沿って延びるように第１のミシン目を入れるようにしても構わない。
【００７２】
その他、本明細書に添付した特許請求の範囲内での種々の設計変更及び修正を加え得ることは勿論である。
【産業上の利用可能性】
【００７３】
本発明は、付箋を指で摘むことなく、付箋を台紙から剥離するための捲り代を生じさせることができるゆえ、台紙の表面上に複数の付箋が貼着されたシート体として有用である。
【図面の簡単な説明】
【００７４】
【図１】本発明の実施の形態１に係るシート体の平面図
【図２】同シート体の台紙を折り曲げて付箋の捲り代が生じるメカニズムを図解的に説明するための図
【図３】本発明の実施の形態２に係るシート体の平面図
【図４】本発明の実施の形態３に係るシート体の平面図
【図５】本発明の実施の形態４に係るシート体の平面図
【図６】同シート体の台紙を折り曲げて付箋の捲り代が生じるメカニズムを図解的に説明するための図
【図７】本発明の実施の形態５に係るシート体の平面図
【図８】同シート体の台紙を折り曲げて付箋の捲り代が生じるメカニズムを図解的に説明するための図
【図９】本発明の実施の形態６に係るシート体の一部拡大平面図
【図１０】本発明の実施の形態７に係るシート体の一部拡大平面図
【図１１】本発明の実施の形態８に係るシート体の平面図
【図１２】本発明の実施の形態９に係るシート体の一部拡大平面図
【図１３】同シート体の台紙を折り曲げて付箋の捲り代が生じるメカニズムを図解的に説明するための図
【図１４】本発明の実施の形態１０に係るシート体の一部拡大平面図
【図１５】同シート体の台紙を折り曲げて付箋の捲り代が生じるメカニズムを図解的に説明するための図
【図１６】本発明の実施の形態１１に係るシート体の平面図
【図１７】本発明の実施の形態１２に係るシート体の平面図
【符号の説明】
【００７５】
１  シート体
２  台紙
３，３Ｌ，３Ｒ  付箋
４，４Ｌ，４Ｒ，４Ｃ，４１，４２，４３  ミシン目
【図１】
2006068977.tif 000003
【図２】
2006068977.tif 000004
【図３】
2006068977.tif 000005
【図４】
2006068977.tif 000006
【図５】
2006068977.tif 000007
【図６】
2006068977.tif 000008
【図７】
2006068977.tif 000009
【図８】
2006068977.tif 000010
【図９】
2006068977.tif 000011
【図１０】
2006068977.tif 000012
【図１１】
2006068977.tif 000013
【図１２】
2006068977.tif 000014
【図１３】
2006068977.tif 000015
【図１４】
2006068977.tif 000016
【図１５】
2006068977.tif 000017
【図１６】
2006068977.tif 000018
【図１７】
2006068977.tif 000019